(57)【要約】【課題】文字等の情報をペン等の入力体で入力している際に、入力に意図しない情報を検知しても、それを不要な情報と判断し、適正に情報を入力することができる入力装置を提供する。【解決手段】シート状のアンダークラッド層１の表面に、複数の線状のコア２を格子状に配置形成し、これらコア２を被覆した状態でオーバークラッド層３をシート状に形成したシート状の光導波路Ｗを備え、格子状のコア２の部分に対応するオーバークラッド層３の表面部分を入力領域とし、その入力領域での入力体の先端入力部の連続移動中に、その先端入力部の位置から、格子状を構成するコアの縦方向の本数または横方向の本数の４％に相当する本数分の間隔以上離れた位置で、押圧を検知した際に、その離れた位置での押圧を不要情報と認識するプログラムが、入力装置を制御するＣＰＵに組み込まれている。【選択図】図１
2015072670.tif 000002
【特許請求の範囲】
【請求項１】
下記（Ａ）のシート状の光導波路と、この光導波路のコアの一端面に接続される発光素子と、上記コアの他端面に接続される受光素子とを備え、上記発光素子で発光された光が、上記光導波路のコアを経て、上記受光素子で受光され、上記光導波路の格子状のコア部分に対応するオーバークラッド層の表面部分を入力領域とし、その入力領域における入力体の先端入力部の連続移動軌跡を、その移動により変化したコアの光伝播量によって、入力情報として特定する入力装置であって、上記入力領域での上記入力体の先端入力部の連続移動中に、その先端入力部の位置から、上記格子状を構成するコアの縦方向の本数または横方向の本数の４％に相当する本数分の間隔以上離れた位置で、押圧を検知した際に、その離れた位置での押圧を不要情報と認識する不要情報認識手段を備えていることを特徴とする入力装置。
（Ａ）シート状のアンダークラッド層と、このアンダークラッド層の表面に格子状に形成された複数の線状のコアと、これらコアを被覆した状態で上記アンダークラッド層の表面にシート状に形成されたオーバークラッド層とを備え、上記コアの弾性率が、上記アンダークラッド層の弾性率および上記オーバークラッド層の弾性率よりも大きく設定され、上記オーバークラッド層の表面における押圧状態で、その押圧方向のコアの断面の変形率が、オーバークラッド層およびアンダークラッド層の断面の変形率よりも小さくなるようになっているシート状の光導波路。
【発明の詳細な説明】
【技術分野】
【０００１】
本発明は、光学的な位置検出手段を備えた入力装置に関するものである。
【背景技術】
【０００２】
従来より、押圧位置を光学的に検知する位置センサが提案されている（例えば、特許文献１参照）。このものは、光路となる複数のコアを縦横方向に配置し、それらコアの周縁部をクラッドで覆うことによりシート状に形成し、上記各コアの一端面に発光素子からの光を入射させ、各コア内を透過してきた光を、各コアの他端面で受光素子により検出するようになっている。そして、そのシート状の位置センサの表面の一部を指等で押圧すると、その押圧部分のコアがつぶれ（押圧方向のコアの断面積が小さくなり）、その押圧部分のコアでは、上記受光素子での光の検出レベルが低下することから、上記押圧位置を検知できるようになっている。
【０００３】
一方、文字等を入力する入力装置として、感圧式タッチパネルとディスプレイとを有するものが提案されている（例えば、特許文献２参照）。このものは、上記感圧式タッチパネル上に文字等をペンで入力すると、そのペン先による加圧位置を上記感圧式タッチパネルが感知して上記ディスプレイに出力し、そのディスプレイに上記入力した文字等を表示するようになっている。
【先行技術文献】
【特許文献】
【０００４】
【特許文献１】特開平８−２３４８９５号公報
【特許文献２】特開２００６−１７２２３０号公報
【発明の概要】
【発明が解決しようとする課題】
【０００５】
一般に、紙の上にペン等の筆記具で文字等を書く場合、その筆記具を持つ手の小指やその付け根部分（小指球）等も、その紙の表面に接触する。
【０００６】
そのため、上記特許文献１のシート状の位置センサの表面に、ペン等の筆記具で文字等を入力すると、ペン先だけでなく、その筆記具を持つ手の小指やその付け根部分等も上記シート状の位置センサを押圧することから、入力した文字等だけでなく、不要な上記小指やその付け根部分等も検知される。
【０００７】
上記特許文献２の入力装置に文字等を入力する場合も同様に、上記感圧式タッチパネルが、ペン先による加圧位置だけでなく、その筆記具を持つ手の小指やその付け根部分等による加圧位置を感知するため、入力した文字等だけでなく、不要な上記小指やその付け根部分等も、ディスプレイに表示される。
【０００８】
そこで、本出願人は、文字等の情報をペン等の入力体で入力する際に、その入力体を持つ手の小指やその付け根部分等の不要部分が感知されないようにした位置センサを提案し既に出願している（特願２０１３−４４０７１号）。この位置センサは、格子状のコアがシート状のアンダークラッド層とオーバークラッド層とで挟持されたシート状の光導波路を備え、上記コアの弾性率が、上記アンダークラッド層の弾性率および上記オーバークラッド層の弾性率よりも大きく設定され、上記シート状の光導波路の表面の押圧状態で、その押圧方向のコアの断面の変形率が、オーバークラッド層およびアンダークラッド層の断面の変形率よりも小さくなるようになっている。
【０００９】
このように設定することにより、ペン先等の先端入力部（小面積部）による押圧部分では、コアは、断面積を保持したまま、曲がり具合が入力体の先端入力部に沿った急なものとなり、コアからの光の漏れ（散乱）が発生する。一方、入力体を持つ手の部分（大面積部）による押圧部分では、コアは、断面積を保持したまま、コアの曲がり具合が手に沿った緩やかなものとなり、上記光の漏れ（散乱）が発生しない。そのため、ペン先等の先端入力部で押圧されたコアでは、受光素子での光の検出レベルが低下し、入力体を持つ手で押圧されたコアでは、その検出レベルが低下しないようにすることができる。その際、その光の検出レベルの低下から、ペン先等の先端入力部の位置を検知することができ、その検出レベルが低下しない手の部分は、押圧されていない状態と同じになるため、感知されないようにすることができる。そして、上記ペン先等の先端入力部による押圧位置を連続移動させ、その移動軌跡を文字，図，印等の入力情報として検知することにより、上記位置センサを、文字等の情報の入力装置として用いることができる。
【００１０】
しかしながら、上記位置センサでは、押圧部分の面積が小さいものを、入力された情報として検知されるため、上記位置センサにペン先等の先端入力部で文字等の情報を入力しているときに、例えば、入力体を持つ手と反対側の手で上記位置センサを押さえる際に、その手の爪で光導波路が押圧されたり、光導波路の表面のゴミ等の小片の上に手が載り、そのゴミ等で光導波路が押圧されたりすると、上記爪やゴミ等の他の小面積部による押圧も検知される。その爪等による検知は、入力に意図しない不要なものである。そのため、例えば「Ｃ」という文字を入力しているときに、上記爪等による不要な検知があると、図６に示すように、上記「Ｃ」が歪な文字になる。この図６において、点Ｐが上記爪等による不要な感知があった部分である。
【００１１】
本発明は、このような事情に鑑みなされたもので、文字等の情報をペン等の入力体で入力している際に、入力に意図しない情報を検知しても、それを不要な情報と判断し、適正に情報を入力することができる入力装置の提供をその目的とする。
【課題を解決するための手段】
【００１２】
上記の目的を達成するため、本発明の入力装置は、下記（Ａ）のシート状の光導波路と、この光導波路のコアの一端面に接続される発光素子と、上記コアの他端面に接続される受光素子とを備え、上記発光素子で発光された光が、上記光導波路のコアを経て、上記受光素子で受光され、上記光導波路の格子状のコア部分に対応するオーバークラッド層の表面部分を入力領域とし、その入力領域における入力体の先端入力部の連続移動軌跡を、その移動により変化したコアの光伝播量によって、入力情報として特定する入力装置であって、上記入力領域での上記入力体の先端入力部の連続移動中に、その先端入力部の位置から、上記格子状を構成するコアの縦方向の本数または横方向の本数の４％に相当する本数分の間隔以上離れた位置で、押圧を検知した際に、その離れた位置での押圧を不要情報と認識する不要情報認識手段を備えているという構成をとる。
（Ａ）シート状のアンダークラッド層と、このアンダークラッド層の表面に格子状に形成された複数の線状のコアと、これらコアを被覆した状態で上記アンダークラッド層の表面にシート状に形成されたオーバークラッド層とを備え、上記コアの弾性率が、上記アンダークラッド層の弾性率および上記オーバークラッド層の弾性率よりも大きく設定され、上記オーバークラッド層の表面における押圧状態で、その押圧方向のコアの断面の変形率が、オーバークラッド層およびアンダークラッド層の断面の変形率よりも小さくなるようになっているシート状の光導波路。
【００１３】
なお、本発明において、「変形率」とは、押圧方向における、コア，オーバークラッド層およびアンダークラッド層の押圧前の各厚みに対する、押圧時の各厚みの変化量の割合をいう。
【発明の効果】
【００１４】
本発明の入力装置では、ペン等の入力体を手に持って、入力領域に文字等の情報を入力している際に、その入力体を持つ手と反対側の手で上記入力装置を押さえる等すると、その入力装置を押さえる手の爪等の小面積部が入力領域を押圧することがある。その場合、上記爪等による押圧も検知されるが、本発明の入力装置は、不要情報認識手段を備えているため、入力中の先端入力部の位置から、格子状を構成するコアの縦方向の本数または横方向の本数の４％に相当する本数分の間隔以上離れた位置で検知された押圧は、不要情報と認識することができる。これにより、その不要情報を無視し、意図する情報を入力領域に適正に入力することができる。
【図面の簡単な説明】
【００１５】
【図１】本発明の入力装置の一実施の形態を模式的に示し、（ａ）はその平面図であり、（ｂ）はその拡大断面図である。
【図２】（ａ）は、入力体により押圧された上記入力装置の状態を模式的に示す断面図であり、（ｂ）は、手により押圧された上記入力装置の状態を模式的に示す断面図である。
【図３】上記入力装置におけるＣＰＵのプログラムのフローチャートの一例を示す説明図である。
【図４】（ａ）〜（ｆ）は、上記入力装置における格子状のコアの交差形態を模式的に示す拡大平面図である。
【図５】（ａ），（ｂ）は、上記格子状のコアの交差部における光の進路を模式的に示す拡大平面図である。
【図６】不要情報が認識された場合の一例を模式的に示す平面図である。
【発明を実施するための形態】
【００１６】
つぎに、本発明の実施の形態を図面にもとづいて詳しく説明する。
【００１７】
図１（ａ）は、本発明の入力装置の一実施の形態を示す平面図であり、図１（ｂ）は、その中央部の断面を拡大した図である。この実施の形態の入力装置は、格子状のコア２が四角形シート状のアンダークラッド層１とオーバークラッド層３とで挟持された四角形シート状の光導波路Ｗと、上記格子状のコア２を構成する線状のコア２の一端面に接続された発光素子４と、上記線状のコア２の他端面に接続された受光素子５とを備えている。そして、上記発光素子４から発光された光は、上記コア２の中を通り、上記受光素子５で受光されるようになっている。また、格子状のコア２の部分に対応するオーバークラッド層３の表面部分が、入力領域となっている。なお、図１（ａ）では、コア２を鎖線で示しており、鎖線の太さがコア２の太さを示している。また、図１（ａ）では、コア２の数を略して図示している。また、図１（ａ）の矢印は、光の進む方向を示している。
【００１８】
そして、上記光導波路Ｗにおいて、上記コア２の弾性率が、上記アンダークラッド層１の弾性率および上記オーバークラッド層３の弾性率よりも大きく設定されている。これにより、上記四角形シート状の光導波路Ｗの表面を押圧したときに、その押圧方向のコア２の断面の変形率が、オーバークラッド層３およびアンダークラッド層１の断面の変形率よりも小さくなるようになっている。
【００１９】
そのため、図２（ａ），（ｂ）に断面図で示すように、上記入力装置をテーブル等の平面台３０の上に載置し、上記入力領域に、手２０に持ったペン等の入力体１０で文字等の情報を書き込んで入力すると、ペン先等の先端入力部１０ａによる押圧部分〔図２（ａ）参照〕も手２０の小指やその付け根部分（小指球）等による押圧部分〔図２（ｂ）参照〕も、その押圧方向の断面では、弾性率の小さいオーバークラッド層３とアンダークラッド層１とがつぶれるように変形し、弾性率の大きいコア２は、断面積を保持したまま、先端入力部１０ａや手２０の部分に沿って、アンダークラッド層１に沈むように曲がる。
【００２０】
このとき、先端入力部１０ａによる押圧部分では、図２（ａ）に示すように、その先端入力部１０ａが尖っている（小面積部になっている）ことから、コア２の曲がり具合が急なものとなり、コア２からの光の漏れ（散乱）が発生する〔図２（ａ）の二点鎖線の矢印参照〕。一方、入力体１０を持つ手２０による押圧部分では、図２（ｂ）に示すように、その手２０が上記先端入力部１０ａと比較してかなり大きくて丸くなっている（大面積部になっている）ことから、コア２の曲がり具合が緩やかなものとなり、上記光の漏れ（散乱）が発生しない（光はコア２内を漏れることなく進む）〔図２（ｂ）の二点鎖線の矢印参照〕。そのため、先端入力部１０ａで押圧されたコア２では、受光素子５での光の検出レベルが低下し、入力体１０を持つ手２０で押圧されたコア２では、その検出レベルが低下しないようにすることができる。そして、その光の検出レベルの低下から、先端入力部１０ａの位置（座標）を検知することができる。その検出レベルが低下しない手２０の部分は、押圧されていない状態と同じであるため、感知されない。
【００２１】
そして、上記先端入力部１０ａによる押圧が解除される（入力が終了する）と、上記アンダークラッド層１，コア２およびオーバークラッド層３は、各自の復元力により、元の状態〔図１（ｂ）参照〕に戻る。なお、上記コア２の、アンダークラッド層１への沈み込み深さＤは、最大で２０００μｍまでとすることが好ましい。それを超えると、上記アンダークラッド層１，コア２およびオーバークラッド層３が元の状態に戻らなくなったり、光導波路Ｗに割れが発生したりするおそれがある。
【００２２】
ここで、上記入力装置は、さらに、その入力装置を制御するＣＰＵ（中央処理装置）（図示せず）を備えており、そのＣＰＵにより、複数の上記押圧位置の点座標から線を認識するようになっている。すなわち、線で構成される文字等の情報を入力する場合、上記入力領域において、ペン先等の先端入力部１０ａを連続して移動させるが、そのとき、上記ＣＰＵにより、移動中の上記先端入力部１０ａによる押圧位置の点座標のデータを所定の時間間隔で断続的に複数取得し、それら点座標を繋げることで、上記先端入力部１０ａの連続移動軌跡である線を認識するようになっている。そして、上記点座標のデータを取得できないときが所定回数あると、点座標を繋げることを中止することにより、文字等を構成する線を独立して認識するようになっている。
【００２３】
一方、上記のように、入力装置に、ペン等の入力体１０を手２０に持って文字等の情報を入力している際に、例えば、その入力体１０を持つ手２０と反対側の手で上記入力装置を押さえると、その手の爪で光導波路Ｗが押圧されたり、光導波路Ｗの表面のゴミ等の小片の上に手が載り、そのゴミ等で光導波路Ｗが押圧されたりすることがあり、そのとき、上記爪やゴミ等の小面積部による押圧も検知される。その爪等による検知は、入力に意図しない不要なものである。その場合、１本の線を入力中に、不要な押圧による点座標を割り込むようにして取得することとなり、その不要な点座標も繋げることとなる。すなわち、先に述べたように、例えば「Ｃ」という文字を入力しているときに、上記のような入力に意図しない押圧を検知すると、図６に示すように、上記「Ｃ」が歪な文字として認識される。
【００２４】
そこで、上記入力装置は、上記のような入力に意図しない押圧を検知しても、それを不要情報と認識するよう、上記ＣＰＵにより制御されている。すなわち、入力領域で入力体１０の先端入力部１０ａを連続移動させて文字等の情報を入力しているときに、その先端入力部１０ａの位置から、格子状を構成するコア２の縦方向の本数または横方向の本数の４％に相当する本数分の間隔以上離れた位置で、上記のような入力に意図しない押圧を検知した際に、その離れた位置の押圧を不要情報と認識するプログラム（不要情報認識手段）が、上記ＣＰＵに組み込まれている。それにより、上記のような入力に意図しない押圧を検知しても、適正な文字として認識することができる。この場合における上記ＣＰＵに組み込まれているプログラムのフローチャートの一例を示すと、図３のようになっている。なお、コア２の縦方向の本数と横方向の本数とが異なる場合は、誤認識が発生し難い観点から、本数の多い方を採用する。
【００２５】
そして、上記入力装置により検知された先端入力部１０ａの位置、およびそれが連続した先端入力部１０ａの移動軌跡（文字や図等）は、例えば、電子データとして、メモリ等の記憶手段に記憶されたり、ディスプレイに送信されてそのディスプレイに表示されたりする。
【００２６】
ここで、上記コア２，アンダークラッド層１およびオーバークラッド層３の弾性率等について、より詳しく説明する。
【００２７】
上記コア２の弾性率は、１ＧＰａ〜１０ＧＰａの範囲内であることが好ましく、より好ましくは、２ＧＰａ〜５ＧＰａの範囲内である。コア２の弾性率が１ＧＰａを下回ると、ペン先等の先端入力部１０ａの形状により、その先端入力部１０ａの圧力で、コア２の断面積が保持されない（コア２がつぶれる）場合があり、先端入力部１０ａの位置を適正に検知できないおそれがある。一方、コア２の弾性率が１０ＧＰａを上回ると、先端入力部１０ａの圧力によるコア２の曲がりが、その先端入力部１０ａに沿った急な曲がりにならずに緩やかな曲がりになる場合がある。そのため、コア２からの光の漏れ（散乱）が発生せず、受光素子５での光の検出レベルが低下しなくなることから、先端入力部１０ａの位置を適正に検知できないおそれがある。なお、コア２の寸法は、例えば、厚みが５〜１００μｍの範囲内、幅が５〜５００μｍの範囲内に設定される。
【００２８】
上記オーバークラッド層３の弾性率は、０．１ＭＰａ以上１０ＧＰａ未満の範囲内であることが好ましく、より好ましくは、１ＭＰａ以上５ＧＰａ未満の範囲内である。オーバークラッド層３の弾性率が０．１ＭＰａを下回ると、柔らかすぎて、ペン先等の先端入力部１０ａの形状により、その先端入力部１０ａの圧力で、破損する場合があり、コア２を保護することができなくなる。一方、オーバークラッド層３の弾性率が１０ＧＰａ以上であると、先端入力部１０ａや手２０の圧力によっても、つぶれるように変形しなくなり、コア２がつぶれ、先端入力部１０ａの位置を適正に検知できないおそれがある。なお、オーバークラッド層３の厚みは、例えば、１〜２００μｍの範囲内に設定される。
【００２９】
上記アンダークラッド層１の弾性率は、０．１ＭＰａ〜１ＧＰａの範囲内であることが好ましく、より好ましくは、１ＭＰａ〜１００ＭＰａの範囲内である。アンダークラッド層１の弾性率が０．１ＭＰａを下回ると、柔らかすぎて、ペン先等の先端入力部１０ａで押圧した後、元の状態に戻らず、連続的に行えない場合がある。一方、アンダークラッド層１の弾性率が１ＧＰａを上回ると、先端入力部１０ａや手２０の圧力によっても、つぶれるように変形しなくなり、コア２がつぶれ、先端入力部１０ａの位置を適正に検知できないおそれがある。なお、アンダークラッド層１の厚みは、例えば、２０〜２０００μｍの範囲内に設定される。
【００３０】
上記コア２，アンダークラッド層１およびオーバークラッド層３の形成材料としては、感光性樹脂，熱硬化性樹脂等があげられ、その形成材料に応じた製法により、光導波路Ｗを作製することができる。また、上記コア２の屈折率は、上記アンダークラッド層１およびオーバークラッド層３の屈折率よりも大きく設定されている。そして、上記弾性率および屈折率の調整は、例えば、各形成材料の種類の選択や組成比率を調整して行うことができる。なお、上記アンダークラッド層１として、ゴムシートを用い、そのゴムシート上にコア２を格子状に形成するようにしてもよい。
【００３１】
また、上記アンダークラッド層１の裏面に、ゴム層等の弾性層を設けてもよい。この場合、アンダークラッド層１，コア２およびオーバークラッド層３の復元力が弱くなったり、それらが元々復元力の弱い材料からなるものであったりしても、上記弾性層の弾性力を利用して、上記弱い復元力を補助し、入力体１０の先端入力部１０ａによる押圧が解除された後、元の状態に戻すことができる。
【００３２】
なお、上記入力体１０は、上記のように光導波路Ｗを押圧できればよく、例えば、インク等で用紙に書き込める筆記具でも、インク等が出ない単なる棒体でもよい。
【００３３】
また、上記のように、入力体１０の先端入力部１０ａ等の小面積部の位置のみが検出され、入力体１０を持つ手２０等の大面積部が感知されないようにするためには、先端入力部１０ａによる押圧部分でのコア２の急な曲がりによる光の漏れ（散乱）量が重要である。そこで、例えば、ペン先等の先端入力部１０ａの曲率半径Ｒ（単位：μｍ）と、コア２の厚みＴ（単位：μｍ）との比Ａ（＝Ｒ／Ｔ）を用い、コア２とアンダークラッド層１およびオーバークラッド層３との間の屈折率差Δを規定すると、その屈折率差Δの最大値Δmax は、下記の式（１）のようになる。すなわち、屈折率差Δがこの最大値Δmax よりも大きいと、先端入力部１０ａで押圧しても、光の漏れ（散乱）量が少なく、受光素子５での光の検出レベルが充分に低下しないため、先端入力部１０ａの位置と手２０の位置との区別が困難になる。
【００３４】
【数１】
2015072670.tif 000003
【００３５】
一方、屈折率差Δの最小値Δmin は、下記の式（２）のようになる。すなわち、屈折率差Δがこの最小値Δmin よりも小さいと、手２０による押圧部分でも、光の漏れ（散乱）が発生し、先端入力部１０ａの位置と手２０の位置との区別が困難になる。
【００３６】
【数２】
2015072670.tif 000004
【００３７】
そのため、上記屈折率差Δは、最小値Δmin と最大値Δmax との間に設定することが好ましい。ここで、例えば、上記先端入力部１０ａの曲率半径Ｒ（単位：μｍ）を１００〜１０００の範囲内、コア２の厚みＴ（単位：μｍ）を１０〜１００の範囲内、比Ａを１〜１００の範囲内とすると、屈折率差Δは、１．０×１０-3〜７．９５×１０-2の範囲内となる。なお、比Ａが１００を超える場合は、最小値Δmin を１．０×１０-3（一定）とする。
【００３８】
そして、上記実施の形態において、格子状のコア２の各交差部は、通常、図４（ａ）に拡大平面図で示すように、交差する４方向の全てが連続した状態に形成されているが、他でもよい。例えば、図４（ｂ）に示すように、交差する１方向のみが、隙間Ｇにより分断され、不連続になっているものでもよい。上記隙間Ｇは、アンダークラッド層１またはオーバークラッド層３の形成材料で形成されている。その隙間Ｇの幅ｄは、０（零）を超え（隙間Ｇが形成されていればよく）、通常、２０μｍ以下に設定される。それと同様に、図４（ｃ），（ｄ）に示すように、交差する２方向〔図４（ｃ）は対向する２方向、図４（ｄ）は隣り合う２方向〕が不連続になっているものでもよいし、図４（ｅ）に示すように、交差する３方向が不連続になっているものでもよいし、図４（ｆ）に示すように、交差する４方向の全てが不連続になっているものでもよい。さらに、図４（ａ）〜（ｆ）に示す上記交差部のうちの２種類以上の交差部を備えた格子状としてもよい。すなわち、本発明において、複数の線状のコア２により形成される「格子状」とは、一部ないし全部の交差部が上記のように形成されているものを含む意味である。
【００３９】
なかでも、図４（ｂ）〜（ｆ）に示すように、交差する少なくとも１方向を不連続とすると、光の交差損失を低減させることができる。すなわち、図５（ａ）に示すように、交差する４方向の全てが連続した交差部では、その交差する１方向〔図５（ａ）では上方向〕に注目すると、交差部に入射する光の一部は、その光が進んできたコア２と直交するコア２の壁面２ａに到達し、その壁面での反射角度が大きいことから、コア２を透過する〔図５（ａ）の二点鎖線の矢印参照〕。このような光の透過が、交差する上記と反対側の方向〔図５（ａ）では下方向〕でも発生する。これに対し、図５（ｂ）に示すように、交差する１方向〔図５（ｂ）では上方向〕が隙間Ｇにより不連続になっていると、上記隙間Ｇとコア２との界面が形成され、図５（ａ）においてコア２を透過する光の一部は、上記界面での反射角度が小さくなることから、透過することなく、その界面で反射し、コア２を進み続ける〔図５（ｂ）の二点鎖線の矢印参照〕。このことから、先に述べたように、交差する少なくとも１方向を不連続とすると、光の交差損失を低減させることができるのである。その結果、ペン先等による押圧位置の検知感度を高めることができる。
【００４０】
つぎに、実施例について比較例と併せて説明する。但し、本発明は、実施例に限定されるわけではない。
【実施例】
【００４１】
〔オーバークラッド層の形成材料〕
成分ａ：エポキシ樹脂（四日市合成社製、エポゴーセーＰＴ）３０重量部。
成分ｂ：エポキシ樹脂（ダイセル社製、ＥＨＰＥ３１５０）７０重量部。
成分ｃ：光酸発生剤（サンアプロ社製、ＣＰＩ２００Ｋ）４重量部。
成分ｄ：乳酸エチル（和光純薬工業社製）１００重量部。
これら成分ａ〜ｄを混合することにより、オーバークラッド層の形成材料を調製した。
【００４２】
〔コアの形成材料〕
成分ｅ：エポキシ樹脂（ダイセル社製、ＥＨＰＥ３１５０）８０重量部。
成分ｆ：エポキシ樹脂（新日鉄化学社製、ＹＤＣＮ７００−１０）２０重量部。
成分ｇ：光酸発生剤（ＡＤＥＫＡ社製、ＳＰ１７０）１重量部。
成分ｈ：乳酸エチル（和光純薬工業社製）５０重量部。
これら成分ｅ〜ｈを混合することにより、コアの形成材料を調製した。
【００４３】
〔アンダークラッド層の形成材料〕
成分ｉ：エポキシ樹脂（四日市合成社製、エポゴーセーＰＴ）７５重量部。
成分ｊ：エポキシ樹脂（三菱化学社製、ＪＥＲ１００７）２５重量部。
成分ｋ：光酸発生剤（サンアプロ社製、ＣＰＩ２００Ｋ）４重量部。
成分ｌ：乳酸エチル（和光純薬工業社製）５０重量部。
これら成分ｉ〜ｌを混合することにより、アンダークラッド層の形成材料を調製した。
【００４４】
〔光導波路の作製〕
ガラス製基材の表面に、上記オーバークラッド層の形成材料を用いて、スピンコート法により、オーバークラッド層を形成した。このオーバークラッド層の厚みは５μｍ、弾性率は１．２ＧＰａ、屈折率は１．５０３であった。
【００４５】
ついで、上記オーバークラッド層の表面に、上記コアの形成材料を用いて、フォトリソグラフィ法により、格子状のコアを形成した。この格子状の縦方向のコアも横方向のコアも１０２４本とした。また、上記コアの厚みは３０μｍ、格子状部分のコアの幅は１００μｍ、ピッチは６００μｍ、弾性率は３ＧＰａ、屈折率は１．５２３であった。
【００４６】
つぎに、上記コアを被覆するように、上記オーバークラッド層の表面に、上記アンダークラッド層の形成材料を用いて、スピンコート法により、アンダークラッド層を形成した。このアンダークラッド層の厚み（オーバークラッド層の表面からの厚み）は２００μｍ、弾性率は３ＭＰａ、屈折率は１．５０３であった。
【００４７】
そして、ＰＥＴ製基板（厚み１ｍｍ）の片面に、両面テープ（厚み２５μｍ）を貼着したものを準備した。ついで、その両面テープのもう一方の粘着面を上記アンダークラッド層の表面に貼着し、その状態で、上記オーバークラッド層を上記ガラス製基材から剥離した。
【００４８】
〔入力装置の作製〕
上記光導波路のコアの一端面に、発光素子（Optowell社製、XH85-S0603-2s ）を接続し、コアの他端面に、受光素子（浜松ホトニクス社製、s10226）を接続し、上記発光素子，上記受光素子，それら素子を制御するＣＰＵ（マイクロチップ社製、dsPIC33FJ128MC706 ），無線モジュール，メモリ，リチウムイオン電池（３．７Ｖ）等を搭載した回路を設けた。そして、入力中のペン先から、不要情報と認識する意図しない押圧の検知位置までの距離を、格子状を構成するコアの縦方向の本数の３％に相当する本数分の間隔以上に設定したプログラムを、上記ＣＰＵに組み込んだ。このようにして、実施例の入力装置を作製した。
【００４９】
〔比較例〕
上記実施例において、入力中のペン先から、不要情報と認識する意図しない押圧の検知位置までの距離を、格子状を構成するコアの縦方向の本数の５％に相当する本数分の間隔以上に設定したものを、比較例とした。
【００５０】
〔入力装置の評価〕
さらに、パーソナルコンピュータ（以下「パソコン」という）を準備した。このパソコンには、上記実施例および比較例の入力装置の入力領域の座標を、ディスプレイの画面の座標に変換し、入力装置で入力した文字等をディスプレイに表示するソフトウェア（プログラム）が、組み込まれている。また、上記パソコンは、上記入力装置の無線モジュールからの電波（情報）を受信できるよう受信手段を備えており、上記パソコンと入力装置とを、無線で情報伝達可能に接続した。
【００５１】
そして、上記実施例および比較例の入力装置を、オーバークラッド層を上にして、机の上に載置した。ついで、右手にペンを手に持ち、そのペンで上記入力装置の入力領域に文字を入力しているときに、左手の爪を上記入力領域上に載せた。
【００５２】
その結果、実施例では、入力した文字が正常に上記ディスプレイに表示されたが、比較例では、入力領域における左手の爪の位置が認識され、入力した文字が乱れて表示された。
【産業上の利用可能性】
【００５３】
本発明の入力装置は、文字等の情報をペン等の入力体で入力している際に、入力に意図しない情報を検知しても、適正に情報を入力できるようにする場合に利用可能である。
【符号の説明】
【００５４】
Ｗ  光導波路
１  アンダークラッド層
２  コア
３  オーバークラッド層
【図１】
2015072670.tif 000005
【図２】
2015072670.tif 000006
【図３】
2015072670.tif 000007
【図４】
2015072670.tif 000008
【図５】
2015072670.tif 000009
【図６】
2015072670.tif 000010